(57)【要約】【課題】簡単な構造で、かつ安価に引戸の閉止と同時に施錠が可能となる引戸用自動施錠装置を得、安価に利便性の向上を図る。【解決手段】引戸と非開閉体とに亘って設けられる引戸用自動施錠装置１００であって、非開閉体に、ストライク１７と、第１マグネット１９、第２マグネット２１とを備え、引戸に、カマ状ボルト３１と、カマ状ボル３１トに噛合するラックを有し往復直線動するスライドブラケット３５と、カマ状ボルト３１に係止するストッパーアーム５３と、第１マグネット１９又は第２マグネット２１に選択的に対向するよう往復直線動するスライドベース５９と、第１マグネット１９に対向することで磁気反発力によりストッパーアーム５３を係止解除する方向に回転されるマグネットトリガー６５とを設けた。【選択図】図２
2007120079.tif 000002
【特許請求の範囲】
【請求項１】
引戸と非開閉体とに亘って設けられる引戸用自動施錠装置であって、
前記非開閉体には、係止穴を有するストライクと、該ストライクに付設され異なる磁極を前記引戸に対向させる第１マグネット、第２マグネットと、を備え、
前記引戸には、回動軸を中心に回動自在に支持され化粧板の進退穴から弧状軌跡で突出することで前記係止穴に係止するカマ状ボルトと、該カマ状ボルトのセグメントギアに噛合するラックを有し往復直線動するスライドブラケットと、ストッパー軸を中心に揺動自在に支持され後退した状態の前記カマ状ボルトに係止するストッパーアームと、前記第１マグネット又は前記第２マグネットに選択的に対向するよう往復直線動するスライドベースと、該スライドベースにトリガー支持軸を介して揺動自在に設けられ前記第１マグネットに対向することで磁気反発力により前記ストッパーアームを係止解除する一方向に回転されるとともに、前記第２マグネットに対向することで磁気吸引力によって他方向に回転されるマグネットトリガーと、前記スライドブラケットに設けられ前記カマ状ボルトを後退させる方向の摺動で前記スライドベースを前記第２マグネットの方向へ摺動させる突片と、
を備えたことを特徴とする引戸用自動施錠装置。
【請求項２】
前記ストッパーアームに突設された解除片と、
前記スライドブラケットに摺動自在に内設されるとともに、前記カマ状ボルトを突出させる方向の摺動操作で前記解除片に当接して前記ストッパーアームを係止解除方向へ揺動させる押下片を有したコア部材と、
を備えたことを特徴とする請求項１記載の引戸用自動施錠装置。
【請求項３】
前記非開閉体が、前記引戸と相接する他の引戸の召合部であることを特徴とする請求項１又は２記載の引戸用自動施錠装置。
【発明の詳細な説明】
【技術分野】
【０００１】
本発明は、扉、特にスライドドア、引戸、窓等の開閉体に用いて好適な引戸用自動施錠装置に関する。
【背景技術】
【０００２】
一般的に、ヒンジを吊り元として開閉される扉に設けられる施錠装置は、扉の木口からデッドボルトを直線往復方向で進退させ、扉枠側に設けられたストライクの係止穴にこのデッドボルトを進入して施錠を行う。一方、溝等に沿って横に開閉する所謂引戸においても、施錠装置の設けられることがある。例えば、脱衣所やトイレの引戸等に設けられる簡易的な施錠装置は、戸先に錠箱が内設され、錠箱内には回動軸を中心に回動自在に支持されたカマ状ボルトが設けられている。また、引戸の戸先が当接する戸当たり部分には係止穴の形成されたストライクが取り付けられる。
【０００３】
これにより、引戸が閉止された状態で、引戸の室内側面に表出された操作摘みを施錠操作することにより、錠箱内のカマ状ボルトが錠箱から円弧状の軌跡で突出し、戸当たり側ストライクの係止穴に係止することで、引戸の開放を規制する施錠状態とすることができた。また、施錠状態を解除するには、施錠方向と逆方向に上記の操作摘みを解錠操作することで、ストライクに係止したカマ状ボルトを再び円弧状の軌跡で錠箱内に後退させ、ストライクとの係止状態を解除し、引戸の開放を可能とする解錠状態とすることができた。
【発明の開示】
【発明が解決しようとする課題】
【０００４】
しかしながら、上記した従来の引戸用施錠装置は、引戸を閉止した後、室内側に表出する操作摘みを操作することで、カマ状ボルトを突出させて、施錠を行うため、引戸の閉止直後に急な作業が必要とされている場合には、利便性に欠ける問題があった。また、引戸閉止後に、施錠を忘れれば、他人に不意に引戸を開放されることもあった。このような不具合に対しての対策として、オートロック錠の採用も考えられるが、電源供給が必要になるとともに、錠構造が複雑となり、コストのかかる問題があった。
【０００５】
本発明は上記状況に鑑みてなされたもので、簡単な構造で、かつ安価に引戸の閉止と同時に施錠が可能となる引戸用自動施錠装置を提供し、もって、安価に利便性の向上を図ることを目的とする。
【課題を解決するための手段】
【０００６】
次に、上記の課題を解決するための手段を、実施の形態に対応する図面を参照して説明する。
本発明の請求項１記載の引戸用自動施錠装置１００は、引戸１１と非開閉体１３とに亘って設けられる引戸用自動施錠装置１００であって、
前記非開閉体１３には、係止穴１５を有するストライク１７と、該ストライク１７に付設され異なる磁極を前記引戸１１に対向させる第１マグネット１９、第２マグネット２１と、を備え、
前記引戸１１には、回動軸２９を中心に回動自在に支持され化粧板２５の進退穴から弧状軌跡で突出することで前記係止穴１５に係止するカマ状ボルト３１と、該カマ状ボルト３１のセグメントギア３９に噛合するラック３７を有し往復直線動するスライドブラケット３５と、ストッパー軸５１を中心に揺動自在に支持され後退した状態の前記カマ状ボルト３１に係止するストッパーアーム５３と、前記第１マグネット１９又は前記第２マグネット２１に選択的に対向するよう往復直線動するスライドベース５９と、該スライドベース５９にトリガー支持軸６３を介して揺動自在に設けられ前記第１マグネット１９に対向することで磁気反発力により前記ストッパーアーム５３を係止解除する一方向に回転されるとともに、前記第２マグネット２１に対向することで磁気吸引力によって他方向に回転されるマグネットトリガー６５と、前記スライドブラケット３５に設けられ前記カマ状ボルト３１を後退させる方向の摺動で前記スライドベース５９を前記第２マグネット２１の方向へ摺動させる突片７５と、
を備えたことを特徴とする。
【０００７】
この引戸用自動施錠装置１００では、引戸１１が閉止されると、スライドベース５９に支持されたマグネットトリガー６５が、ストライク側の第１マグネット１９に対向し、第１マグネット１９との間に発生する磁気反発力によって、第１マグネット１９から離反する方向へ揺動される。揺動したマグネットトリガー６５は、ストッパーアーム５３を押圧し、ストッパーアーム５３がカマ状ボルト３１から係止を解除する方向に回転される。これにより、ストッパーアーム５３とカマ状ボルト３１との係止が解除される。カマ状ボルト３１のストッパーアーム５３による係止状態が解除されると、セグメントギア３９に噛合するスライドブラケット３５のブラケットバネ付勢力によって、スライドブラケット３５が付勢され、これに従動してカマ状ボルト３１が円弧状の軌跡で引戸１１の進退穴３３から突出される。このようにして引戸１１から突出されたカマ状ボルト３１は、引戸閉止状態で対向している非開閉体ストライク１７の係止穴１５に係止する。これにより、引戸１１は、非開閉体側に施錠状態となり、開放不能となる。一方、引戸１１の解錠時には、スライドブラケット３５に固設される操作ピン４１が操作され、カマ状ボルト３１が後退回転する方向に、スライドブラケット３５が摺動される。これにより、カマ状ボルト３１が引戸１１に後退され、ストライク係止穴１５との係止が解除されるとともに、スライドブラケット３５に設けられた突片７５が、スライドベース５９を第２マグネット対向位置へと摺動させる。スライドベース５９が第２マグネット２１との対向位置へ配置されると、スライドベース５９に設けられたマグネットトリガー６５が、第２マグネット２１との間に発生する磁気吸引力によって、第２マグネット２１に接近方向に揺動され、スライドブラケット３５の突片７５との係合が解除される。この状態で、引戸１１が開放されると、マグネットトリガー６５が第２マグネット２１から離反され、磁気吸引力が消失することで、ベースバネ７３の付勢力によってスライドベース５９が再び第１マグネット１９と対向する位置へ移動配置され、引戸閉止前の状態へリセットされることとなる。
【０００８】
請求項２記載の引戸用自動施錠装置２００は、前記ストッパーアーム５３に突設された解除片９１と、
前記スライドブラケット５３に摺動自在に内設されるとともに、前記カマ状ボルト３１を突出させる方向の摺動操作で前記解除片９１に当接して前記ストッパーアーム５３を係止解除方向へ揺動させる押下片８９を有したコア部材８５と、
を備えたことを特徴とする。
【０００９】
この引戸用自動施錠装置２００では、引戸施錠状態から、解錠操作が行われた直後の状態（解錠された引戸１１が未だ開動されていない状態）においても、コア部材８５に固設された操作ピン４１が、カマ状ボルト３１を突出させる方向に操作されることで、コア部材８５の押下片８９がストッパーアーム５３の解除片９１を押圧し、ストッパーアーム５３を、スライドブラケット３５に対する係止状態から係止解除状態へと揺動させることができる。つまり、コア部材８５を設けた本構成によれば、解錠直後においても、操作摘み９７を解錠操作と逆方向に施錠操作することで、カマ状ボルト３１を突出させる施錠状態とすることが可能となる。
【００１０】
請求項３記載の引戸用自動施錠装置１００は、前記非開閉体が、前記引戸１１と相接する他の引戸１３の召合部１３ａであることを特徴とする。
【００１１】
この引戸用自動施錠装置１００では、例えば、引き違い引戸１１の召合部１１ａに錠箱２３が設けられ、この錠箱２３から突出させたカマ状ボルト３１を、他の引戸１３の召合部１３ａに設けられたストライク１７に係止することで、引き違い引戸１１，１３の双方が同時に施錠状態となる。
【発明の効果】
【００１２】
本発明に係る請求項１記載の引戸用自動施錠装置によれば、引戸が閉止されると、マグネットトリガーが、ストライク側の第１マグネットとの間に発生する磁気反発力によって揺動し、ストッパーアームを、カマ状ボルトの係止解除方向に回転させる。これにより、ストッパーアームとカマ状ボルトとの係止が解除され、セグメントギアに噛合するスライドブラケットの付勢力によって、カマ状ボルトが円弧状の軌跡で引戸の進退穴から突出し、ストライクの係止穴に係止するので、オートロック錠を用いずに、簡単な構造で、かつ安価に引戸の閉止と同時に施錠が可能となる。この結果、安価に利便性を向上させることができる。
【００１３】
請求項２記載の引戸用自動施錠装置によれば、解錠された引戸が未だ開動されていない状態においても、コア部材に固設された操作ピンを、カマ状ボルト突出方向に操作することで、コア部材の押下片を介してストッパーアームの解除片を押圧し、ストッパーアームを、スライドブラケットに対する係止状態から係止解除状態へと揺動させることができるので、解錠直後においても、カマ状ボルトを突出させる施錠状態とすることが可能となる。
【００１４】
請求項３記載の引戸用自動施錠装置によれば、非開閉体が、引戸と相接する他の引戸の召合部であるので、引き違い引戸の召合部に錠箱を設け、この錠箱から突出させたカマ状ボルトを、他の引戸の召合部に設けられたストライクに係止することで、引き違い引戸の双方を、閉止と同時に施錠状態とすることができる。
【発明を実施するための最良の形態】
【００１５】
以下、本発明に係る引戸用自動施錠装置の好適な実施の形態を図面を参照して詳細に説明する。
図１は本発明に係る引戸用自動施錠装置の採用された引き違い引戸の概略斜視図、図２は図１に示した引戸用自動施錠装置の戸面垂直方向の装置断面図、図３は図２のＩ−Ｉ矢視図、図４は図２のII−II矢視図、図５は図２に示した引戸用自動施錠装置の要部分解斜視図、図６は図５に示したスライドブラケットの斜視図、図７は図５に示したカマ状ボルトの斜視図、図８は図５に示したスライドベースの斜視図、図９は図５に示したストッパーアームの斜視図である。
本実施の形態による引戸用自動施錠装置１００は、概略的に、引戸１１と非開閉体とに亘って設けられている。ここで、非開閉体とは、引戸１１と相接する他の引戸１３を言う。引戸用自動施錠装置１００は、引戸１１の召合部１１ａと、他の引戸１３の召合部１３ａとに亘って設けられている。すなわち、引戸１１の召合部１１ａに後述の錠箱が設けられ、この錠箱から突出させたカマ状ボルトを、他の引戸１３の召合部１３ａに設けられたストライクに係止することで、引き違い引戸１１，１３の双方が閉止と同時に施錠状態となるように構成されている。
【００１６】
以下、その構成を具体的に説明する。
非開閉体である他の引戸１３の召合部１３ａには、図２、図３に示す係止穴１５を有するストライク１７が取り付けられている。このストライク１７には異なる磁極を引戸１１に対向させる第１マグネット１９、第２マグネット２１とが上下方向に間隔を有して固設される。
【００１７】
一方、引戸１１の召合部１１ａには錠箱２３が内設され、錠箱２３は他の引戸１３に対する対向面に、図２，図４に示す化粧板２５として表出する。化粧板２５は、引戸１１の召合部１１ａに、固定ビス２７，２７によって固定される。錠箱２３内には回動軸２９を中心に回動自在にカマ状ボルト３１が支持され、カマ状ボルト３１は化粧板２５に形成された進退穴３３から弧状軌跡で突出する。カマ状ボルト３１は、進退穴３３から突出することにより、ストライク１７の係止穴１５に係止する。
【００１８】
錠箱２３内のカマ状ボルト３１の左方にはスライドブラケット３５が図２の上下方向で往復直線動自在に設けられ、スライドブラケット３５は図５，図６に示すラック３７を、カマ状ボルト３１の図７に示すセグメントギア３９に噛合している。スライドブラケット３５にはピン穴３９が穿設され、ピン穴３９は操作ピン４１を嵌着する。引戸１１の召合部１１ａ表面には図１に示す操作パネル４５が取り付けられ、操作パネル４５には操作ピン４１と連結された操作摘み４７が上下方向に摺動自在に表出される。つまり、スライドブラケット３５は、操作摘み４７を介して上方へ摺動操作可能となっている。なお、このスライドブラケット３５には収容空間４３が形成され、この収容空間４３は後述する第２の実施の形態で用いられるコア部材を収容可能とする。
【００１９】
カマ状ボルト３１は、スライドブラケット３５が上下摺動すれば、ラック３７、セグメントギア３９を介して、回動されることとなる。また、逆に、カマ状ボルト３１の回動が規制されれば、スライドブラケット３５の上下摺動も規制されることとなる。スライドブラケット３５は、錠箱２３内壁面との間に配設されたブラケットバネ４９の付勢力によって図２の下方向へ付勢されている。
【００２０】
錠箱２３内には、ストッパー軸５１を中心に揺動自在に支持されるストッパーアーム５３が設けられ、ストッパーアーム５３は錠箱２３内に後退した状態のカマ状ボルト３１の係止片５５に爪部５３ａを係止することで、カマ状ボルト３１の突出方向の回転を規制する。つまり、ストッパーアーム５３は、ブラケットバネ４９を圧縮状態でスライドブラケット３５の摺動を規制する。ストッパーアーム５３は、図９に示す支持穴５３ｂがストッパー軸５１に支持される。ストッパー軸５１には図２に示すストッパーバネ５７が外挿され、ストッパーバネ５７は一端を回動軸２９に当接するとともに、他端をストッパーアーム５３の図９に示す起立片５３ｃに当接することで、ストッパーアーム５３を図２の反時計回りに回転付勢している。
【００２１】
錠箱２３内には、第１マグネット１９又は第２マグネット２１に選択的に対向するように、スライドベース５９が図２の上下方向に往復直線動可能に設けられている。スライドベース５９は、例えば化粧板２５の背面に形成されたガイド溝６１に沿って摺動が案内される。このスライドベース５９にはトリガー支持軸６３を介してマグネットトリガー６５が揺動自在に設けられている。マグネットトリガー６５にはマグネット６７が固設され、マグネット６７は第１マグネット１９と対向配置されることで磁気反発力を発生させる一方、第２マグネット２１と対向配置されることで磁気吸引力を発生させる。トリガー支持軸６３は、スライドベース５９の支持穴５９ａに固設される。トリガー支持軸６３にはトリガーバネ６９が外挿され、トリガーバネ６９は一端をマグネットトリガー６５に当接し、他端をスライドベース５９の凸片５９ｂに当接することで、マグネットトリガー６５を図２の反時計回りに付勢している。
【００２２】
すなわち、スライドベース５９が摺動され、マグネット６７が第１マグネット１９と対向配置されると、マグネットトリガー６５は、図２に示す時計回りに回転される。また、スライドベース５９が摺動され、マグネット６７が第２マグネット２１と対向配置されると、マグネットトリガー６５は、図２の反時計回りに回転される。マグネットトリガー６５は、時計回りに回転することで、ストッパーアーム５３を図２の右方へ押圧し、ストッパーアーム５３を時計回りに揺動させる。これにより、ストッパーアーム５３は、スライドブラケット３５の係止を解除する。すなわち、マグネットトリガー６５は、第１マグネット１９に対向することで、磁気反発力によりストッパーアーム５３を係止解除する一方向に回転されるとともに、第２マグネット２１に対向することで磁気吸引力によって他方向に回転される。
【００２３】
錠箱２３内の上部にはベースバネ軸７１が立設され、ベースバネ軸７１にはベースバネ７３が外挿される。ベースバネ７３は一端が錠箱２３内壁に当接するとともに、他端がスライドベース５９に当接し、スライドベース５９を図２の下方向へ付勢している。
【００２４】
スライドブラケット３５には突片７５が設けられ、突片７５はスライドベース５９と係合可能となる。すなわち、カマ状ボルト３１を後退させる方向にスライドブラケット３５が摺動されると、突片７５は、スライドベース５９を第２マグネット２１の方向（図２の上方向）へ摺動させるようになっている。つまり、操作摘み４７を介してスライドブラケット３５が図２の上方向へと摺動されると共に、スライドベース５９も上方向へと摺動されるようになっている。
【００２５】
次に、上記のように構成された引戸用自動施錠装置１００の作用を説明する。
図１０は引戸施錠状態の装置断面図、図１１は解錠操作時の装置断面図、図１２は解錠時のマグネットトリガー保持状態の装置断面図、図１３は開引戸状態の装置断面図である。
引戸用自動施錠装置１００において、図１０に示すように、先ず、引戸１１が閉止されると、スライドベース５９に支持されたマグネットトリガー６５が、ストライク１７側の第１マグネット１９に対向する。すると、マグネット６７と第１マグネット１９との間に発生する磁気反発力によって、マグネットトリガー６５が、第１マグネット１９から離反する方向へ揺動される。
【００２６】
揺動したマグネットトリガー６５は、ストッパーアーム５３を押圧し、ストッパーアーム５３がカマ状ボルト３１から係止を解除する方向に回転される。これにより、ストッパーアーム５３とカマ状ボルト３１との係止が解除される。カマ状ボルト３１のストッパーアーム５３による係止状態が解除されると、セグメントギア３９に噛合するスライドブラケット３５のブラケットバネ４９の付勢力によって、スライドブラケット３５が下方向へ付勢され、これに従動してカマ状ボルト３１が円弧状の軌跡で引戸１１の進退穴３３から突出される。このようにして引戸１１から突出されたカマ状ボルト３１は、引戸閉止状態で対向している他の引戸１３のストライク１７の係止穴１５に係止する。これにより、引戸１１は、他の引戸１３に施錠状態となり、開放不能となる。
【００２７】
一方、引戸の解錠時には、図１１に示すように、スライドブラケット３５の操作ピン４１に固設される操作摘み４７（図１参照）が操作され、カマ状ボルト３１が後退回転する方向に、スライドブラケット３５が図１１の上方向へ摺動される。これにより、カマ状ボルト３１が引戸１１に後退され、ストライク係止穴１５との係止が解除されるとともに、スライドブラケット３５に設けられた突片７５が、スライドベース５９を第２マグネット２１との対向位置へと摺動させる。
【００２８】
スライドベース５９が第２マグネット２１との対向位置へ配置されると、図１２に示すように、スライドベース５９に設けられたマグネットトリガー６５が、第２マグネット２１との間に発生する磁気吸引力によって、第２マグネット２１に接近方向に揺動され、スライドブラケット３５の突片７５との係合が解除される。
【００２９】
この状態で、図１３に示すように、引戸１１が開放されると、マグネットトリガー６５が第２マグネット２１から離反され、磁気吸引力が消失することで、ベースバネ７３の付勢力によってスライドベース５９が再び第１マグネット１９と対向する位置へ移動配置され、引戸閉止前の状態へリセットされることとなる。このリセット状態では、カマ状ボルト３１が再びストッパーアーム５３によって係止されることで、スライドブラケット３５は、ブラケットバネ４９を圧縮させた状態で錠箱２３内の上方に保持される。
【００３０】
したがって、この引戸用自動施錠装置１００によれば、引戸１１が閉止されると、マグネットトリガー６５が、ストライク側の第１マグネット１９との間に発生する磁気反発力によって揺動し、ストッパーアーム５３を、カマ状ボルト３１の係止解除方向に回転させる。これにより、ストッパーアーム５３とカマ状ボルト３１との係止が解除され、セグメントギア３９に噛合するスライドブラケット３５の付勢力によって、カマ状ボルト３１が円弧状の軌跡で引戸１１の進退穴３３から突出し、ストライク１７の係止穴１５に係止するので、オートロック錠を用いずに、簡単な構造で、かつ安価に引戸１１の閉止と同時に施錠が可能となる。この結果、安価に利便性を向上させることができる。
【００３１】
また、非開閉体が、引戸１１と相接する他の引戸１３の召合部１３ａであるので、引き違い引戸１１の召合部１１ａに錠箱２３を設け、この錠箱２３から突出させたカマ状ボルト３１を、他の引戸１３の召合部１３ａに設けられたストライク１７に係止することで、引き違い引戸１１，１３の双方を、閉止と同時に施錠状態とすることができる。
【００３２】
次に、本発明に係る引戸用自動施錠装置の他の実施の形態を説明する。
図１４は本発明に係る他の実施の形態の装置断面図、図１５は図１４に示した引戸用自動施錠装置の要部分解斜視図、図１６は図１５に示したコア部材の斜視図、図１７は図１５に示したストッパーアームの斜視図、図１８は図１４のIII −III 矢視図、図１９は図１４のIV−IV矢視図である。なお、図１〜図１３に示した部材と同一の部材には同一の符号を付し、重複する説明は省略するものとする。
この他の実施の形態による引戸用自動施錠装置２００は、上記したスライドブラケット３５と略同一外形状で形成された図１４，図１５に示すスライドブラケット８１の収容空間４３が、切欠部８３によって側面開放されている。
【００３３】
このスライドブラケット８１の収容空間４３にはコア部材８５がスライドブラケット８１の摺動方向と同方向に摺動自在に収容されている。コア部材８５は、図１６に示すように、切欠部８３から突出される操作ピン４１を固設している。コア部材８５は、挟入バネ８７によって、図１４の上方向へ付勢されている。コア部材８５にはストッパーアーム５３に向かって突出する押下片８９が設けられている。押下片８９は、カマ状ボルト３１を突出させる方向のコア部材８５の摺動操作で、ストッパーアーム５３に突設した図１７に示す解除片９１に当接して、ストッパーアーム５３を係止解除方向へ揺動させる。
【００３４】
引戸１１の戸面に設けられる操作パネル４５には、図１４，図１８に示す操作ピン４１と嵌合するスライドブロック９３が上下方向に摺動自在に設けられている。スライドブロック９３には図１９に示す揺動軸９５を中心に図１４の上下方向に揺動自在となった操作摘み９７が設けられる。操作摘み９７は、操作パネル４５に形成された窓部９９から表出されている。
【００３５】
次に、上記のように構成された引戸用自動施錠装置２００の作用を説明する。
図２０は閉引戸状態解錠時の装置断面図、図２１は閉引戸状態施錠操作時の装置断面図、図２２は閉引戸状態施錠完了時の装置断面図である。
この引戸用自動施錠装置２００では、図１０に示した引戸１１の閉止直後における自動施錠動作は、上記の実施の形態による引戸用自動施錠装置１００と同様となるので、その説明は省略する。
【００３６】
一方、本実施の形態による引戸用自動施錠装置２００では、引戸施錠状態から、解錠操作が行われた直後の図２０に示す状態（解錠された引戸１１が未だ開動されていない状態）においても、コア部材８５に固設された操作ピン４１が、図２１に示す操作摘み９７の下方向の摺動操作で、カマ状ボルト３１を突出させる方向に操作されることで、コア部材８５の押下片８９がストッパーアーム５３の解除片９１を押圧する。
【００３７】
これにより、挟入バネ８７が圧縮されるとともに、図２２に示すように、ストッパーアーム５３を、スライドブラケット３５に対する係止状態から係止解除状態へと揺動させることができる。そして、ストッパーアーム５３による係止が解除されることで、スライドブラケット３５は、ブラケットバネ４９と挟入バネ８７との付勢力によって図２２の下方へ摺動され、ラック３７に噛合したセグメントギア３９を介して、カマ状ボルト３１を突出方向へ回転させる。つまり、コア部材８５を設けた本構成によれば、解錠直後においても、操作摘み９７を解錠操作と逆方向に施錠操作することで、カマ状ボルト３１を突出させる施錠状態とすることが可能となる。
【００３８】
したがって、引戸用自動施錠装置２００によれば、解錠された引戸１１が未だ開動されていない状態においても、コア部材８５に固設された操作ピン４１を、カマ状ボルト３１が突出する方向に操作することで、コア部材８５の押下片８９を介してストッパーアーム５３の解除片９１を押圧し、ストッパーアーム５３を、スライドブラケット３５に対する係止状態から係止解除状態へと揺動させることができるので、解錠直後においても、一旦引戸１１を開放して、スライドベース５９を下方へリセットしなくとも、カマ状ボルト３１を突出させる施錠状態とすることが可能となる。なお、図２２の状態で、上方に配置されたままのスライドベース５９は、引戸１１が開放されることにより、第２マグネット２１との磁気吸引力が消失し、ベースバネ７３の付勢力によって下方に配置され、図１４に示したリセット状態となる。
【図面の簡単な説明】
【００３９】
【図１】本発明に係る引戸用自動施錠装置の採用された引き違い引戸の概略斜視図である。
【図２】図１に示した引戸用自動施錠装置の戸面垂直方向の装置断面図である。
【図３】図２のＩ−Ｉ矢視図である。
【図４】図２のII−II矢視図である。
【図５】図２に示した引戸用自動施錠装置の要部分解斜視図である。
【図６】図５に示したスライドブラケットの斜視図である。
【図７】図５に示したカマ状ボルトの斜視図である。
【図８】図５に示したスライドベースの斜視図である。
【図９】図５に示したストッパーアームの斜視図である。
【図１０】引戸施錠状態の装置断面図である。
【図１１】解錠操作時の装置断面図である。
【図１２】解錠時のマグネットトリガー保持状態の装置断面図である。
【図１３】開引戸状態の装置断面図である。
【図１４】本発明に係る他の実施の形態の装置断面図である。
【図１５】図１４に示した引戸用自動施錠装置の要部分解斜視図である。
【図１６】図１５に示したコア部材の斜視図である。
【図１７】図１５に示したストッパーアームの斜視図である。
【図１８】図１４のIII −III 矢視図である。
【図１９】図１４のIV−IV矢視図である。
【図２０】閉引戸状態解錠時の装置断面図である。
【図２１】閉引戸状態施錠操作時の装置断面図である。
【図２２】閉引戸状態施錠完了時の装置断面図である。
【符号の説明】
【００４０】
１１…引戸
１１ａ，１３ａ…召合部
１３…他の引戸（非開閉体）
１５…係止穴
１７…ストライク
１９…第１マグネット
２１…第２マグネット
２５…化粧板
２９…回動軸
３１…カマ状ボルト
３３…進退穴
３５…スライドブラケット
３７…ラック
３９…セグメントギア
５１…ストッパー軸
５３…ストッパーアーム
５９…スライドベース
６３…トリガー支持軸
６５…マグネットトリガー
７５…突片
８５…コア部材
８９…押下片
９１…解除片
１００，２００…引戸用自動施錠装置
【図１】
2007120079.tif 000003
【図２】
2007120079.tif 000004
【図３】
2007120079.tif 000005
【図４】
2007120079.tif 000006
【図５】
2007120079.tif 000007
【図６】
2007120079.tif 000008
【図７】
2007120079.tif 000009
【図８】
2007120079.tif 000010
【図９】
2007120079.tif 000011
【図１０】
2007120079.tif 000012
【図１１】
2007120079.tif 000013
【図１２】
2007120079.tif 000014
【図１３】
2007120079.tif 000015
【図１４】
2007120079.tif 000016
【図１５】
2007120079.tif 000017
【図１６】
2007120079.tif 000018
【図１７】
2007120079.tif 000019
【図１８】
2007120079.tif 000020
【図１９】
2007120079.tif 000021
【図２０】
2007120079.tif 000022
【図２１】
2007120079.tif 000023
【図２２】
2007120079.tif 000024